(57)【要約】【課題】布団カバーの用途を広げる。【解決手段】布団カバー１は、掛け布団を内部に収容可能であり、扁平な第１及び第２部分を備える。第２部分は、第１部分との間に掛け布団の収容空間を形成している。布団カバーは、内側結合部３と外側結合部４とをさらに備える。内側結合部３は、布団カバー１と収容された掛け布団とを結合するため、収容空間側に位置する内側縁部１２に設けられる。また、外側結合部４は、布団カバー１と布団カバーを覆う他のカバーとを結合するため、収容空間の外側に位置する外側縁部１３に設けられる。【選択図】図１
2019118672.tif 000002
【特許請求の範囲】
【請求項１】
ユーザが寝る際に上に掛ける寝具である掛け布団を内部に収容することが可能な布団カバーであって、
扁平な第１部分と、
扁平な部分であって、その縁が前記第１部分の縁と接合されており、前記第１部分との間に前記掛け布団を収容するための収容空間を形成している第２部分と、を備え、
前記第１部分及び前記第２部分における前記収容空間に対面する部分のうち、前記第１部分の縁部又は前記第２部分の縁部に沿って延びる部分を、内側縁部とし、
前記第１部分及び前記第２部分における前記収容空間の外部に対面する部分のうち、前記第１部分の縁部又は前記第２部分の縁部に沿って延びる部分を、外側縁部とし、
前記布団カバーは、
前記布団カバーと前記収容空間に収容された前記掛け布団とを結合するため、前記内側縁部に設けられた内側結合部と、
前記布団カバーと前記布団カバーを覆う他のカバーとを結合するため、前記外側縁部に設けられた外側結合部と、
をさらに備える布団カバー。
【請求項２】
請求項１に記載された布団カバーであって、
前記第１部分及び前記第２部分は、四角形状の部分であり、
前記内側結合部及び前記外側結合部は、前記第１部分及び前記第２部分における４つの角部に少なくとも設けられている
布団カバー。
【請求項３】
請求項１又は請求項２に記載された布団カバーであって、
前記外側結合部は、前記内側結合部に対面する位置に設けられている
布団カバー。
【請求項４】
請求項１から請求項３のうちのいずれか１項に記載された布団カバーであって、
前記第１部分は、布状の部分であり、
前記第２部分は、保温性を有する部分である
布団カバー。
【請求項５】
請求項４に記載された布団カバーであって、
前記第２部分は、内部にマジックダウンが充填された扁平な袋状の部分であり、
前記マジックダウンとは、ダウンがファイバー状のポリエステルにより繋がった構造を有する
布団カバー。
【発明の詳細な説明】
【技術分野】
【０００１】
本開示は、掛け布団を覆う布団カバーに関する。
【背景技術】
【０００２】
掛け布団を収容する布団カバーが知られている。また、特許文献１に記載された毛布カバーは、内部に収容される毛布の縁と結合するための紐が、内部に設けられている。
【先行技術文献】
【特許文献】
【０００３】
【特許文献１】実用新案登録第３０４６３４１号公報
【発明の概要】
【発明が解決しようとする課題】
【０００４】
しかしながら、特許文献１に記載された毛布カバーは、内側にしか紐が設けられていない。このため、毛布カバーをさらに他のカバーで覆った状態で用いる場合に使い勝手が悪くなる恐れがあり、毛布カバーの用途が限られていた。
【０００５】
本開示は、布団カバーの用途を広げることを目的とする。
【課題を解決するための手段】
【０００６】
本開示の一態様は、ユーザが寝る際に上に掛ける寝具である掛け布団を内部に収容することが可能な布団カバーであって、第１部分と、第２部分と、を備える。第１部分は、扁平である。第２部分は、扁平な部分であって、その縁が第１部分の縁と接合されており、第１部分との間に掛け布団を収容するための収容空間を形成している。
【０００７】
ここで、第１部分及び第２部分における収容空間に対面する部分のうち、第１部分の縁部又は第２部分の縁部に沿って延びる部分を、内側縁部とする。また、第１部分及び第２部分における収容空間の外部に対面する部分のうち、第１部分の縁部又は第２部分の縁部に沿って延びる部分を、外側縁部とする。
【０００８】
布団カバーは、内側結合部と、外側結合部と、をさらに備える。内側結合部は、布団カバーと収容空間に収容された掛け布団とを結合するため、内側縁部に設けられる。外側結合部は、布団カバーと布団カバーを覆う他のカバーとを結合するため、外側縁部に設けられる。
【０００９】
このような構成によれば、外側結合部により、本開示に係る布団カバーと、該布団カバーを外側から覆う他のカバー（例えば、別の布団カバー）とを結合することが可能となる。このため、本開示に係る布団カバーの外側を、他のカバーにより良好に覆うことが可能となる。これにより、例えば、布団カバーが汚れたり傷んだりするのを抑制し、頻繁な洗濯や修繕等を不要とすることが可能となる。
【００１０】
このため、洗濯や修繕等が困難な素材により布団カバーを構成し、布団カバーそのものにクッション性や保温性等を持たせることが可能となる。その結果、例えば、布団カバーに掛け布団を収容することを可能としつつも、布団カバーそのものを掛け布団として用いることが可能となる。
【００１１】
したがって、布団カバーの用途を広げることが可能となる。
なお、本開示の一態様では、第１部分及び第２部分は、四角形状の部分であっても良い。また、内側結合部及び外側結合部は、第１部分及び第２部分における４つの角部に少なくとも設けられていても良い。
【００１２】
また、本開示の一態様では、外側結合部は、内側結合部に対面する位置に設けられていても良い。
このような構成によれば、布団カバーと内部に収容される掛け布団とを良好に結合することや、布団カバーと該布団カバーを外側から覆う他のカバーとを良好に結合することが可能となる。
【００１３】
また、本開示の一態様では、第１部分は、布状の部分であってもよい。また、第２部分は、保温性を有する部分であってもよい。
このような構成によれば、布団カバーの内部に掛け布団を収容することを可能としつつも、布団カバーそのものを掛け布団として用いることが可能となる。このため、暑い時期には、布団カバーに掛け布団を収容せず、布団カバーを掛け布団として用いることができる。また、寒い時期には、布団カバーに掛け布団を収容し、保温性を向上させた状態で布団カバーを使用することができる。したがって、布団カバーの用途を広げることができる。
【００１４】
また、本開示の一態様では、第２部分は、内部にマジックダウンが充填された扁平な袋状の部分であってもよい。また、マジックダウンとは、ダウンがファイバー状のポリエステルにより繋がった構造を有してもよい。
【００１５】
第２部分に充填されたマジックダウンは、ダウンがファイバー状のポリエステルにより繋がった構造を有する。このため、第２部分にステッチを設けなくても、第２部分の内部でダウンが偏ったり、ダウンが外部にはみ出したりするのが抑制される。つまり、第２部分にステッチを設けるのを不要としたり、第２部分に設けられるステッチの数を低減させたりすることが可能となる。
【００１６】
このため、第２部分がユーザに当接した状態で布団カバーを使用した場合、ステッチにより第２部分とユーザとの間に隙間が生じるのが抑制され、より好適に第２部分がユーザにフィットし、快適性が向上する。
【００１７】
また、本開示の布団カバーは、掛け布団を収容することにより保温性を高めることができるため、第２部分に用いられるマジックダウンの量を抑制できる。したがって、コストを抑制しつつ、快適性を向上させることができる。
【図面の簡単な説明】
【００１８】
【図１】布団カバーの上面図である。
【図２】掛け布団の上面図である。
【図３】掛け布団が収容された布団カバーの側面を示す説明図である。
【図４】図１におけるIV-IV断面の説明図である。
【発明を実施するための形態】
【００１９】
以下、本発明の実施形態について図面を用いて説明する。なお、本発明の実施の形態は、下記の実施形態に何ら限定されることはなく、本発明の技術的範囲に属する限り種々の形態を採りうる。
【００２０】
［構成の説明］
図１に示す本実施形態の布団カバー１は、四角形状（一例として、長方形状）に構成されており、図２に示す掛け布団７を内部に収容可能となっている。なお、掛け布団とは、ユーザが寝る際に上に掛ける寝具であり、様々な素材から構成され得る。具体的には、掛け布団とは、例えば、綿又は羽毛等が充填された布団、毛布、又は、タオルケット等であっても良い。図１，３，４に示すように、布団カバー１は、第１部分１０と、第２部分１１と、内側結合部３と、外側結合部４と、開口部５と、開閉部５０とを備える。
【００２１】
第１部分１０は、扁平な四角形状（一例として、長方形状）の布状の部分である。
第２部分１１は、四角形状（一例として、長方形状）に広がる扁平な部分であり、保温性を有する。本実施形態では、第２部分１１は、一例として、内部にマジックダウン６が充填された扁平な袋状の部分となっており、保温性に加え、クッション性も有する。
【００２２】
ここで、マジックダウンとは、アイダーダウンに類似した構造を有する人工的なダウン素材であり、ダウンがファイバー状のポリエステルにより繋がった構造を有している。なお、ファイバー状のポリエステルは、チェーン状にダウンを繋いでいても良い。ファイバー状のポリエステルが、ダウン同士を繋ぐ接着剤としての役割を果している。マジックダウンは、ダウンと低融点のポリエステルとを加熱して結合させることで製造される。
【００２３】
一般的なダウン素材では、個々のダウンが独立しており、ダウンが充填された袋体の内部でダウンが偏ったり、袋体からはみ出したりしていた。これに対し、マジックダウンは、個々のダウンが独立していないため、袋体内での偏りや、袋体内からのはみ出しが抑制される。
【００２４】
なお、第２部分１１は、例えば、マジックダウン６以外のダウン素材が充填されていても良い。また、第２部分１１は、例えば、布団又は毛布等として構成されていても良い。また、第２部分１１は、保温性は有するが、クッション性の低い素材から構成されていても良い。
【００２５】
図３，４に示すように、第２部分１１の縁は、第１部分１０の縁の接合されており、第１部分１０と第２部分１１との間には、掛け布団７を収容するための収容空間２が形成されている。
【００２６】
ここで、第１部分１０及び第２部分１１における収容空間２に対面する部分のうち、第１部分１０の縁部又は第２部分１１の縁部に沿って延びる部分を、内側縁部１２とする。また、第１部分１０及び第２部分１１における収容空間２の外部に対面する部分のうち、第１部分１０の縁部又は第２部分１１の縁部に沿って延びる部分を、外側縁部１３とする。
【００２７】
内側結合部３は、布団カバー１と収容空間２に収容された掛け布団７とを結合するための部位であり、内側縁部１２に複数設けられる。本実施形態では、内側結合部３は、第１部分１０及び第２部分１１における４つの角部１４に少なくとも設けられている。内側結合部３は、一端が内側縁部１２に接合された２本の紐として構成されている。内側結合部３は、収容空間２に収容された掛け布団７の結合部７０に結び付けられる。なお、結合部７０とは、図２に示すように、掛け布団７の縁に設けられたリング状の紐として構成された部位である。
【００２８】
外側結合部４は、布団カバー１と布団カバー１を覆う他のカバーとを結合するための部位であり、外側縁部１３に設けられる。本実施形態では、外側結合部４は、第１部分１０及び第２部分１１における４つの角部１４に少なくとも設けられている。また、各外側結合部４は、内側結合部３の反対側に設けられている。換言すれば、各外側結合部４は、外側縁部１３及び内側縁部１２を挟んで内側結合部３に対面する位置に設けられている。無論、外側結合部４は、これとは異なる位置に設けられていても良い。外側結合部４は、一本の紐の両端を外側縁部１３に接合することで、リング状に構成されている。外側結合部４は、本実施形態の布団カバー１を覆う他のカバー（例えば、他の布団カバー）の内側に設けられた結合部に結び付けられる。
【００２９】
なお、内側結合部３は、例えば、外側結合部４と同様のリング状の紐として構成されていても良い。また、外側結合部４は、例えば、内側結合部３と同様の２本の紐として構成されていても良い。これ以外にも、内側結合部３及び外側結合部４は、例えば、掛け布団７や他のカバーの結合部に係合されるフック等の係合部材として構成されていても良い。
【００３０】
開口部５は、布団カバー１の一方の長辺をなす部分に設けられた部位である。開口部５は、第１部分１０と第２部分１１との境界に設けられた切れ目状の部位である。開口部５は、掛け布団７を収容空間２に出し入れするために用いられる。
【００３１】
開閉部５０は、開口部５に沿って第１部分１０と第２部分１１とを着脱可能に結合させる部位である。これにより、掛け布団７の収容空間２への出し入れに応じて、開口部５が開閉される。なお、開閉部５０は、例えば、線ファスナー、点ファスナー、又は、面ファスナーとして構成されても良い。
【００３２】
なお、開口部５及び開閉部５０の位置は、これに限らず、例えば、布団カバー１の一方の短辺をなす部分に、開口部５及び開閉部５０が設けられていても良い。また、布団カバー１の２つの長辺をなす部分の各々に、開口部５及び開閉部５０が設けられていても良い。
【００３３】
［効果］
（１）上記実施形態によれば、外側結合部４により、布団カバー１と、該布団カバー１を外側から覆う他のカバー（例えば、別の布団カバー）とを結合することが可能となる。このため、布団カバー１の外側を、他のカバーにより良好に覆うことが可能となる。これにより、例えば、布団カバー１が汚れたり傷んだりするのを抑制し、頻繁な洗濯や修繕等を不要とすることが可能となる。
【００３４】
このため、洗濯や修繕等が困難な素材により布団カバー１を構成し、布団カバー１そのものにクッション性や保温性等を持たせることが可能となる。その結果、例えば、布団カバー１に掛け布団を収容することを可能としつつも、布団カバー１そのものを掛け布団として用いることが可能となる。
【００３５】
したがって、布団カバー１の用途を広げることが可能となる。
（２）また、内側結合部３及び外側結合部４は、布団カバー１の角部１４に設けられている。このため、布団カバー１と内部に収容される掛け布団７とを良好に結合することや、布団カバー１と該布団カバー１を外側から覆う他のカバーとを良好に結合することが可能となる。
【００３６】
（３）また、第２部分１１は、保温性を有している。このため、布団カバー１の内部に掛け布団７を収容することを可能としつつも、布団カバー１そのものを掛け布団として用いることが可能となる。このため、暑い時期には、布団カバー１に掛け布団を収容せず、布団カバー１を掛け布団として用いることができる。また、寒い時期には、布団カバー１に掛け布団を収容し、保温性を向上させた状態で布団カバー１を使用することができる。したがって、布団カバー１の用途を広げることができる。
【００３７】
（４）また、第２部分１１の内部には、マジックダウンが充填されている。このため、第２部分１１にステッチを設けなくても、第２部分１１の内部でダウンが偏ったり、ダウンが外部にはみ出したりするのが抑制される。つまり、第２部分１１にステッチを設けるのを不要としたり、第２部分１１に設けられるステッチの数を低減させたりすることが可能となる。
【００３８】
このため、第２部分１１がユーザに当接した状態で布団カバー１を使用した場合、ステッチにより第２部分１１とユーザとの間に隙間が生じるのが抑制され、より好適に第２部分１１がユーザにフィットし、快適性が向上する。
【００３９】
また、マジックダウンは、アイダーダウンと類似した構造を有している。このため、第２部分１１がユーザに当接した状態で布団カバー１を使用することで、アイダーダウンが充填された羽毛布団を使用した時のような快適性が得られる。
【００４０】
また、布団カバー１は、掛け布団７を収容することにより保温性を高めることができるため、第２部分１１に用いられるマジックダウンの量を抑制できる。したがって、コストを抑制しつつ、快適性を向上させることができる。
【００４１】
［他の実施形態］
（１）上記実施形態１の布団カバー１の形状や、第１及び第２部分１０，１１は、長方形状であるが、これらは例えば、正方形又は他の形状であっても良い。
【００４２】
（２）上記実施形態の布団カバー１において、第１及び第２部分１０，１１は、共に、第１部分１０と同様の布状の部分として構成されていても良いし、共に、第２部分１１と同様の保温性を有する部分として構成されていても良い。
【符号の説明】
【００４３】
１…布団カバー、２…収容空間、３…内側結合部、４…外側結合部、５…開口部、６…マジックダウン、７…掛け布団、１０…第１部分、１１…第２部分、１２…内側縁部、１３…外側縁部、１４…角部、５０…結合部。
【図１】
2019118672.tif 000003
【図２】
2019118672.tif 000004
【図３】
2019118672.tif 000005
【図４】
2019118672.tif 000006